(57)【要約】【課題】１０ｍを超す遠距離から発生音源の状況を把握することができる。【解決手段】内部に液体又は液体入袋を有する液体充満部を備えた集音部及び聴音部と、これら集音部と聴音部とをつなぐホースからなる発生音の聴取装置。【選択図】図１
0003129034.tif 000002
【実用新案登録請求の範囲】
【請求項１】
内部に液体又は液体入袋を有する液体充満部を備えた集音部及び聴音部と、
これら集音部と聴音部とをつなぐホースからなる発生音の聴取装置。
【請求項２】
内部に液体又は液体入袋を有する液体充満部を備えた集音部及び聴音部と、
これら集音部と聴音部とをつなぐ所定長のホースからなる発生音の聴取装置であって、
前記集音部は、内部を空洞とした截頭円錐形状の集音体と、この集音体の底面と頂面とによって挟まれた空間を２つの空間に仕切る仕切壁と、前記集音体の底面と前記仕切壁との間に挟まれた空間に前記液体又は液体入袋を入れた液体充満部とを備え、前記集音体の底面を合成樹脂製又は金属製の板体により形成して、その周縁にゴム輪を巻回させ、前記集音体の頂面中央部に前記ホースの一端を挿入可能なホース挿入口を形成する一方、
前記聴音部は、内部を空洞とし、開放底部周縁にフエルトからなる周縁カバーを備えた截頭円錐形状の聴音体と、前記聴音体の開放底面と頂面とによって挟まれた空間を３つの空間に仕切る２枚の仕切壁と、前記２枚の仕切壁の間に挟まれた空間に前記液体又は液体入袋を入れた液体充満部を備え、前記聴音体の頂面を合成樹脂製又は金属製の板体により形成して、その中央部に前記ホースの他端を挿入可能なホース挿入口を形成してなり、
前記集音部における前記ホース挿入口に前記ホースの一端を挿入すると共に、その他端を前記聴音部における前記ホース挿入口に挿入して構成したことを特徴とする発生音の聴取装置。
【考案の詳細な説明】
【技術分野】
【０００１】
本考案は、発生音の聴取装置に関するものであり、特に、植物の成長を促進させる植物の成長用音響及び空気振動発生器から発せられる発生音の聴取装置に関するものである。
【背景技術】
【０００２】
従来、植物の根及びその周辺の土又は水中に対して音響及び空気振動を与えることにより、その根の養分等の吸収力と活性化を増進させて、植物の成長を促進させる植物の成長用音響及び空気振動発生器が考案されていた（たとえば、特許文献１参照。）。
【０００３】
この植物の成長用音響及び空気振動発生器は、内部に内缶を挿入させた外缶を、植物の根の周囲の任意の土中又は水中に挿入し、内缶内部に設けた駆動用モータを駆動することにより回転動作する打撃棒で、同じく内缶内部に設けた音響等発生棒を連続して打撃することによって、連続した音響及び空気振動を発生させて、植物の根及びその周辺の土等の活性化を直接図り、養分等の吸収力を増進させるように構成していた。
【０００４】
この植物の成長用音響及び空気振動発生器は、その設置場所が植物の根の周辺土中や水中であるため、外缶の蓋と外缶の上辺との間に防水用のゴムパッキン等を設けることによって、打撃棒を回転駆動するための駆動用モータが湿気等によって故障することを防止するようにしていた。
【０００５】
しかし、このようにゴムパッキン等によって外缶を密閉するように構成しても、植物の成長用音響及び空気振動発生器は、長期間使用しているうちに、ゴムパッキン等の防水性の劣化や周辺気温の日較差等に起因して、内缶内部に水分が浸入して駆動用モータが故障するおそれがあった。
【０００６】
そのため、この植物の成長用音響及び空気振動発生器は、約２ｍの棒状のパイプの一端に集音部を備え、他端に聴音口を備えた集音装置を用いて、定期的に当該植物の成長用音響及び空気振動発生器から発せられる発生音を聴くことによって、駆動モータの故障の有無等を確認するようにしていた。
【特許文献１】特許第３８０２３４３号公報
【考案の開示】
【考案が解決しようとする課題】
【０００７】
ところが、上記従来の集音装置は、約２ｍの棒状のパイプの一端に集音部を設け、他端に聴音口を設けた構造であったため、植物の成長用音響及び空気振動発生器の設置場所から１０ｍを超すような遠距離から発生音を確認することは困難という問題点を有していた。
【０００８】
本考案は従来の技術の有する問題点を解決するもので、その目的とするところは発生音を１０ｍ以上の遠距離からでも明瞭に把握できる装置を提供しようとするものである。
【課題を解決するための手段】
【０００９】
そこで、請求項１に係る本考案では、内部に液体又は液体入袋を有する液体充満部を備えた集音部及び聴音部と、これら集音部と聴音部とをつなぐホースからなる発生音の聴取装置を提供することとした。
【００１０】
また、請求項２に係る本考案では、内部に液体又は液体入袋を有する液体充満部を備えた集音部及び聴音部と、これら集音部と聴音部とをつなぐ所定長のホースからなる発生音の聴取装置であって、前記集音部は、内部を空洞とした截頭円錐形状の集音体と、この集音体の底面と頂面とによって挟まれた空間を２つの空間に仕切る仕切壁と、集音体の底面と仕切壁との間に挟まれた空間に液体又は液体入袋を入れた液体充満部とを備え、集音体の底面を合成樹脂製又は金属製の板体により形成して、その周縁にゴム輪を巻回させ、集音体の頂面中央部にホースの一端を挿入可能なホース挿入口を形成する一方、聴音部は、内部を空洞とし、開放底部周縁にフエルトからなる周縁カバーを備えた截頭円錐形状の聴音体と、前記聴音体の開放底面と頂面とによって挟まれた空間を３つの空間に仕切る２枚の仕切壁と、２枚の仕切壁の間に挟まれた空間に液体又は液体入袋を入れた液体充満部を備え、前記聴音体の頂面を合成樹脂製又は金属製の板体により形成して、その中央部にホースの他端を挿入可能なホース挿入口を形成してなり、集音部におけるホース挿入口にホースの一端を挿入すると共に、その他端を聴音部におけるホース挿入口に挿入して構成したことを特徴とする。
【考案の効果】
【００１１】
本考案は、上述のとおり構成したことによって以下に記載するような効果を奏する。
【００１２】
すなわち、請求項１に記載の本考案に係る発生音の聴取装置は、集音部と聴音部との間を中空のホースによりつなぐ構成としたことにより、ホースの長さを適宜所望の長さに設定するだけで、植物の成長用音響及び空気振動発生器の設置場所から１０ｍを超すような遠距離からでも発生音を確認することができる。
【００１３】
しかも、この発生音の聴取装置は、集音部及び聴音部の内部に、液体又は液体入袋を有する液体充満部を備えているため、集音した音が集音部の液体充満部を通過することによって高くなり伝達性が向上し、この伝達した音が聴音部の液体充満部を通過することによって更に高くなって、より一層伝達性が向上するので、植物の成長用音響及び空気振動発生器から発せられる発生音を確実に確認することができる。
【００１４】
また、請求項２に記載の本考案に係る発生音の聴取装置は、発生音源に当接させる集音体の底面部分を合成樹脂製又は金属製の板体により形成することによって、発生音を効率良く集音体内部に伝達可能な構成とすると共に、この合成樹脂製又は金属製の板体と当接する領域に液体充満部を設けているため、発生音による空気振動を効率よく液体充満部内の液体に伝達することができる。
【００１５】
さらに、集音体の底面周縁にゴム輪を巻回することによって、発生音源と集音体との接触により発生する雑音を除去することができるので、発生音源から発せられる音だけを聴取できる。しかも、集音体を截頭円錐形状としているため、発生音を効率良く集音してホースを介して聴音部側へ伝達することができる。
【００１６】
しかも、この発生音の聴取装置は、ホースを介して聴音部へ伝達された発生音を、聴音体の頂面と仕切壁とにより挟まれた空間で増幅し、この増幅した発生音を２枚の仕切壁で挟まれた液体充満部に通すことによって、発生音を高くすると共に伝達性を向上させた後、仕切壁と開放底面とにより挟まれた空間で再度増幅させることができるので、発生音を一層効率よく聴取することができる。
【００１７】
その上、聴音体の開放底面と頂面とによって挟まれた空間を３つの空間に仕切る２枚の仕切壁の間に液体充満部を設けるサンドイッチ構造とすることによって、聴音部の軽量化を図ることができると共に、音を聴く際、耳に当たる部分となる聴音体の開放底部周縁にフエルトからなる周縁カバーを備えているため、使用感を向上させることができる。
【考案を実施するための最良の形態】
【００１８】
本考案に係る発生音の聴取装置は、本件出願人が取得した特許第３８０２３４３号に係る植物の成長用音響及び空気振動発生器の動作音を聴取することによって、植物の成長用音響及び空気振動発生器が正常に作動しているか否かを確認するために用いる装置である。
【００１９】
以下、本考案に係る発生音の聴取装置の一実施形態について、図面を参照して具体的に説明する。図１は、本実施形態の発生音の聴取装置を示す説明図である。
【００２０】
図１に示すように、本実施形態の発生音の聴取装置（以下、「聴取装置」という。）は、植物の成長用音響及び空気振動発生器近傍の土壌又は水面（以下、「発生音源２」という。）に当接させて、発生音源２から発せられる音を集音する集音部１と、この集音部１により集音した音を聴取するための聴音部１１と、これら集音部１と聴音部１１とをつないで、集音部１から聴音部１１へ音を伝達するホース１０とから構成されている。
【００２１】
特に、この聴取装置は、集音部１及び聴音部１１の各内部に、液体又は液体入袋４、１４を入れた液体充満部５を備えており、この液体充満部５を通過させることによって、集音部１により集音した音を高めると共に伝達性を向上させて、発生音源２の動作音を確実に聴取できるように構成している。
【００２２】
この聴取装置が備える集音部１は、内部を空洞とした截頭円錐形状（底面の径が頂面の径よりも大きく、底面及び頂面が共に閉塞されたカップ状）の集音体１ａを備えている。
【００２３】
なお、この聴取装置を使用する際には、集音体１ａの底面を発生音源２に当接させて使用するため、以下の説明では、集音体１ａの底面を集音面３、集音体１ａの頂面を上辺面９と称して説明する。
【００２４】
この集音部１における集音面３は、厚さが略１ｍｍ程度の合成樹脂製又は金属製の板体により形成しており、これにより、発生音を効率良く集音体内部に伝達できるように構成している。なお、本実施形態では、集音体１ａにおける集音面３以外の部分についても、集音面３と同一の材料により形成している。
【００２５】
さらに、この集音部１は、集音面３の周縁にゴム輪７を巻回させており、このゴム輪７を発生音源２に当接させることによって、発生音源２と集音体１ａとの接触により雑音が発生することを防止して、発生音源２から発せられる音だけを的確に聴取できる。
【００２６】
また、集音体１ａにおける上辺面９の略中央部には、ホース１０の一端を挿入可能なホース挿入口８を備えている。
【００２７】
さらに、この集音部１の内部には、集音体１ａの集音面３と上辺面９とによって挟まれた空間を２つの空間に仕切る仕切壁６を設けており、この仕切壁６と集音面３との間に挟まれた空間に、液体又は液体入袋４を入れた液体充満部５を設けている。
【００２８】
この液体充満部５に充満させる液体としては、通常水を用いるようにしているが、本考案はこれに限定されるものではなく、油等といった集音面３へ伝達された音を好適に集音体１ａの上辺面側へ伝達可能な液体であれば、任意の液体を用いることができる。また、仕切壁６の配設位置としては、集音面３との距離が５ｃｍ程度の位置に配設することが望ましい。
【００２９】
このように、集音部１は、合成樹脂製又は金属製の板体により形成した集音面３と当接する領域に液体充満部５を設けているため、発生音による空気振動を効率よく液体充満部５内の液体に伝達することができる。
【００３０】
また、この聴取装置が備える聴音部１１は、内部を空洞とした截頭円錐形状（底面の径が頂面の径よりも大きく、頂面が閉塞され、底面が開放されているカップ状）の聴音体１１ａを備えている。
【００３１】
この聴音体１１ａは、集音体１ａと同様に、厚さが略１ｍｍ程度の合成樹脂又は金属により形成している。
【００３２】
なお、この聴取装置を使用する際には、使用者が聴音体１１ａの底面を耳に当てて集音部１により集音した音を聴取するため、以下の説明では、聴音体１１ａの底面を聴音口１５、聴音体１１ａの頂面を上辺面１６と称して説明する。
【００３３】
また、聴音体１１ａの開口底部である聴音口１５は、その周縁部にフエルト１７からなる周縁カバーを備えており、使用者が聴音部１１を耳に当てる際の使用感を向上させるようにしている。
【００３４】
さらに、聴音部１１の内部には、聴音体１１ａの開放底面と上辺面１６とによって挟まれた空間を３つの空間に仕切る２枚の仕切壁１３、１３を設けており、この２枚の仕切壁の間に挟まれた空間に液体又は液体入袋１４を入れた液体充満部５を設けている。
【００３５】
この聴音部１１が備える液体充満部５に充満させる液体も水を使用するようにしているが、集音部１と同様に油等他の液体を用いてもよい。また、２枚の仕切壁１３、１３の間隔は略５ｃｍとすることが望ましい。
【００３６】
また、聴音体１１ａにおける上辺面１６の略中央部には、ホース１０の他端を挿入可能なホース挿入口１２を備えている。
【００３７】
このように、聴音部１１は、聴音体１１ａの開放底面である聴音口１５と上辺面１６とによって挟まれた空間を３つの空間に仕切る２枚の仕切壁１３，１３の間に液体充満部５を設けたサンドイッチ構造とすることによって、ホース１０を介して当該聴音部１１へ伝達された発生音を、聴音体１１ａの上辺面１６と仕切壁１３とにより挟まれた空間で増幅し、この増幅した発生音を２枚の仕切壁１３、１３で挟まれた液体充満部５に通すことによって、発生音を高くすると共に伝達性を向上させた後、仕切壁１３と開放底面とにより挟まれた空間で再度増幅させることができるので、発生音を一層効率よく聴取することができる。
【００３８】
また、聴音体１１ａの内部を上記のようにサンドイッチ構造としたことにより、液体充満部５が占める領域を可及的に縮小することができるので、聴音部１１の軽量化も図ることができる
そして、これら集音部１と聴音部１１とは、可撓性を有する中空のホース１０により連通させている。このホース１０は、ゴムやシリコン等といった可撓性を有する材料により構成しており、長さが１０ｍよりも長いゴム製ホースを用いることが望ましい。
【００３９】
以上のように構成したことによって、本実施形態の聴取装置は、植物の成長用音響及び空気振動発生器の設置場所から１０ｍを超すような比較的遠距離からでも、植物の成長用音響及び空気振動発生器の動作音を明瞭に聴くことができ、その音に基づいて、植物の成長用音響及び空気振動発生器が正常に作動しているか否かを確認することができる。
【図面の簡単な説明】
【００４０】
【図１】本実施形態に係る発生音の聴取装置の断面図である。
【符号の説明】
【００４１】
１  集音部
１ａ  集音体
２  発生音源
３  集音面
４、１４  液体又は液体入袋
５  液体充満部
６、１３  仕切壁
７  ゴム輪
８、１２  ホース挿入口
９、１６  上辺面
１０  ホース
１１  聴音部
１２  ホース挿入口
１５  聴音口
１７  フエルト
【図１】
0003129034.tif 000003